(57)【要約】【課題】めくれ防止機能を低下させることなく、組み立て作業を容易に行うことが可能なコネクタを提供する。【解決手段】パネルＰの取付孔Ｈに取り付けられるコネクタＣであって、前記パネルＰの板面２０に密着可能なシール部材３０と、前記シール部材３０が装着される装着部１６を有するハウジング１０と、を備え、前記シール部材３０が、外向きに突出する外向き突部３８を有し、前記装着部１６に、前記外向き突部３８が収容される外向き孔部１９が、前記パネルＰへの取付方向に対して交差方向に凹み形成され、前記外向き孔部１９の内部において外向き突部３８の挿入方向に向かって片側に、前記外向き突部３８と係止可能な係止段部２２が突設されている。【選択図】図５
2018060730.tif 000002
【特許請求の範囲】
【請求項１】
パネルの取付孔に取り付けられるコネクタであって、
前記パネルの板面に密着可能なシール部材と、
前記シール部材が装着される装着部を有するハウジングと、を備え、
前記シール部材が、外向きに突出する外向き突部を有し、
前記装着部に、前記外向き突部が収容される外向き孔部が、前記パネルへの取付方向に対して交差方向に凹み形成され、
前記外向き孔部の内部において前記外向き突部の挿入方向に向かって片側に、前記外向き突部と係止可能な係止段部が突設されているコネクタ。
【請求項２】
前記シール部材が、内向きに突出する内向き突部を有し、
前記装着部に、前記内向き突部が収容される内向き孔部が、前記交差方向に凹み形成されている請求項１に記載のコネクタ。
【請求項３】
前記係止段部が、前記外向き孔部のうち前記外向き突部の挿入方向手前側の端部に位置している請求項１または請求項２に記載のコネクタ。
【請求項４】
前記外向き突部と前記内向き突部との間に溝部が形成されている請求項２または請求項３に記載のコネクタ。
【発明の詳細な説明】
【技術分野】
【０００１】
本発明は、コネクタに関する。
【背景技術】
【０００２】
従来、例えば下記特許文献１に記載されているように、パネルの取付孔に取り付けられるコネクタが知られている。このコネクタは、取付孔の周縁部に密着可能な環状をなすシール部材を備えている。シール部材の複数箇所には、径方向の外向きに突出した形態で突起部が設けられ、ハウジングには、突起部が通される穴部が貫通形成されている。突起部は、穴部を貫通した状態において穴部の周縁部に係止する係止爪を有している。係止爪が穴部の周縁部に係止することにより、突起部が抜け止めされ、シール部材のめくれあがりが防がれるようになっている。係止爪は、例えば下記特許文献２に記載されているように、突起部の全周に張り出して設けたものがある。
【先行技術文献】
【特許文献】
【０００３】
【特許文献１】特開２００４−６１１２号公報
【特許文献２】特開２０１４−２２２６０２号公報
【発明の概要】
【発明が解決しようとする課題】
【０００４】
しかしながら、上記のような構成では、係止爪を押し潰して穴部に貫通させる作業が容易ではないため、コネクタの組み立て作業に時間がかかるという問題がある。かといって、係止爪を例えば周方向の一部のみにすると、係止爪の係止が解除されやすくなり、めくれ防止機能が低下する虞がある。
【０００５】
本発明は上記のような事情に基づいて完成されたものであって、めくれ防止機能を低下させることなく、組み立て作業を容易に行うことが可能なコネクタを提供することを目的とする。
【課題を解決するための手段】
【０００６】
本発明のコネクタは、パネルの取付孔に取り付けられるコネクタであって、前記パネルの板面に密着可能なシール部材と、前記シール部材が装着される装着部を有するハウジングと、を備え、前記シール部材が、外向きに突出する外向き突部を有し、前記装着部に、前記外向き突部が収容される外向き孔部が、前記パネルへの取付方向に対して交差方向に凹み形成され、前記外向き孔部の内部において前記外向き突部の挿入方向に向かって片側に、前記外向き突部と係止可能な係止段部が突設されているものである。
【発明の効果】
【０００７】
本発明によれば、外向き突部を外向き孔部に収容する際には、外向き孔部の内部において片側に突設された係止段部を乗り越えさせればよいから、従来に比してシール部材を容易に装着することができる。また、外向き突部は、外向き孔部の内部に収容されているから、係止段部との係止が解除される方向への変形が制限され、係止段部が片側のみであっても係止段部との係止状態が維持される。よって、めくれ防止機能を低下させることなく、組み立て作業を容易に行うことができる。
【図面の簡単な説明】
【０００８】
【図１】本実施例におけるコネクタを示す正面図
【図２】シール部材を示す正面図
【図３】シール部材を示す側面図
【図４】取付孔に取り付けられている状態のコネクタを示す断面図であって、図１のＡ−Ａ位置における断面に相当する断面図
【図５】取付孔に取り付けられている状態を示すコネクタの一部拡大断面図
【発明を実施するための形態】
【０００９】
本発明の好ましい形態を以下に示す。
本発明のコネクタは、前記シール部材が、内向きに突出する内向き突部を有し、前記装着部に、前記内向き突部が収容される内向き孔部が、前記交差方向に凹み形成されているものとしてもよい。このような構成によれば、内向き突部が内向き孔部に収容されることにより、シール部材の内周側の浮き上がりが防止されるので、シール部材のめくれ防止機能をより高めることができる。
【００１０】
また、本発明のコネクタは、前記係止段部が、前記外向き孔部のうち前記外向き突部の挿入方向手前側の端部に位置しているものとしてもよい。このような構成によれば、係止段部が外向き孔部のうち外向き突部の挿入方向奥側に位置している場合に比して、外向き孔部への外向き突部の押し込み距離を短くすることができるから、シール部材を容易に装着することができる。
【００１１】
また、本発明のコネクタは、前記外向き突部と前記内向き突部との間に溝部が形成されているものとしてもよい。このような構成によれば、シール部材を装着部に装着する際、外向き突部または内向き突部を溝部側に撓ませることができるから、シール部材をより容易に装着することができる。
【００１２】
＜実施例＞
以下、本発明を具体化した一実施例について、図１〜図５を参照しつつ詳細に説明する。
本実施例におけるコネクタＣは、パネルＰ（例えば自動車のボディやドアを構成するパネル等）の取付孔Ｈに、待ち受け状態で取り付けられるものである。以下、各構成部材において、図４における上側（コネクタＣの相手側コネクタ５０との嵌合面側）を前方として説明する。
【００１３】
コネクタＣは、合成樹脂製のハウジング１０と、ハウジング１０に収容される端子金具Ｔと、取付孔Ｈの周縁部に密着可能なシール部材３０とを備えている。
ハウジング１０は、端子金具Ｔが保持される端子保持部１１と、相手側コネクタ５０が嵌合されるフード部１２とを備えている。端子保持部１１は縦長のブロック状をなし、フード部１２は縦長の角筒状をなしている。なお、フード部１２の内面のうち短手方向に対向する両面には、円柱状をなすカムピン１３が突出形成されている。
【００１４】
端子金具Ｔは、周知の形態の雄型をなすものである。図４に示すように、端子金具Ｔが端子保持部１１に保持されると、前端のタブがフード部１２の奥面から前方に突出してフード部１２の内部に収容される。コネクタＣと相手側コネクタ５０との正規嵌合状態では、相手側コネクタ５０に保持された雌型の端子金具５１と端子金具Ｔとが電気的に接続される。
【００１５】
フード部１２の前端部には、図４に示すように、フード部１２の後側の部分よりも一段外側に突出して、取付孔Ｈの周縁部と対向するフランジ部１４が設けられてる。フランジ部１４は、フード部１２の全周にわたっている。
【００１６】
フランジ部１４の前方には、取付孔Ｈの孔縁に係止可能な孔縁係止部１５が設けられている。孔縁係止部１５が取付孔Ｈの孔縁に係止することで、コネクタＣがパネルＰに対して待ち受け状態で取り付けられる。
ハウジング１０には、シール部材３０が装着される装着部１６が設けられている。装着部１６については、後ほど詳しく説明する。
【００１７】
シール部材３０は、ゴム製であって、取付孔Ｈの周縁部に密着可能なシール本体部３１を備えている。シール本体部３１は、図２に示すように、縦長の枠状をなし、長手方向に延びる一対の第１縁部３２と、短手方向に延びる一対の第２縁部３３とを備えている。
【００１８】
シール本体部３１の前面には、図４に示すように、取付孔Ｈの周縁部に弾性的に潰れて密着する密着突部３４が突設されている。密着突部３４は、シール本体部３１の幅方向（内外方向）における中央部に、全周にわたって連続して形成されている。
【００１９】
シール本体部３１の第２縁部３３には、ハウジング１０に係止可能な第１、第２係止突起３５Ｆ，３５Ｓが設けられている。第１、第２係止突起３５Ｆ，３５Ｓは、シール本体部３１から外側に突出し、ハウジング１０に貫通形成されている貫通孔１７を貫通してハウジング１０の外面に係止する。
【００２０】
第１、第２係止突起３５Ｆ，３５Ｓの突出端部には、貫通孔１７の周縁部に係止可能な係止爪３６が設けられている。係止爪３６は、第１、第２係止突起３５Ｆ，３５Ｓの突出端部において側方（第１、第２係止突起３５Ｆ，３５Ｓの突出方向と交差する方向）に突出している。第１、第２係止突起３５Ｆ，３５Ｓの突出端部には、貫通孔１７への挿入動作を案内する案内面３７が形成されており、第１、第２係止突起３５Ｆ，３５Ｓの突出端部は、先細りの形状をなしている。
【００２１】
一対の第２縁部３３のうち一方に設けられた第１係止突起３５Ｆは、シール部材３０がハウジング１０に取り付けられた状態において、孔縁係止部１５の両側に位置するように一対が設けられている（図１参照）。第１係止突起３５Ｆの係止爪３６は、図３に示すように、前後両側に突出している。
【００２２】
一対の第２縁部３３のうち他方に設けられた第２係止突起３５Ｓは、第２縁部３３の延び方向における中央部に設けられている（図２参照）。第２係止突起３５Ｓは、第１係止突起３５Ｆに比して幅寸法（第２縁部３３の延び方向と同方向の寸法）が若干大きくされている。第２縁部３３の係止爪３６は、図３に示すように、前側に突出している。
【００２３】
さて、シール部材３０は、図３に示すように、シール本体部３１から外向きに突出する外向き突部３８を備えている。外向き突部３８は、一対の第１縁部３２の両方に設けられている。外向き突部３８は、第１縁部３２の長手方向の中央部に設けられ、各第１縁部３２の略半分の長さ範囲にわたって第１縁部３２に沿って連続した形態をなしている。
【００２４】
外向き突部３８は、図５に示すように、第１縁部３２から外側に突出して先端部が前方に曲がった鉤形状をなしている。外向き突部３８のうち第１縁部３２から外側に突出する部分（以後、突出部３９と称する）は、シール本体部３１の後面と面一状に突出し、前後方向に対して略直交している。外向き突部３８のうち突出部３９の先端部から前方に突出する部分（以後、引掛け部４１と称する）は、突出部３９の全幅（第１縁部３２に沿う方向の全長）にわたって設けられている。
【００２５】
引掛け部４１には、図５に示すように、後述する係止段部２２に係止する引掛け面４２が形成されている。引掛け面４２は、内側から外側に向かって次第に前方に突出するように傾斜している。
【００２６】
シール部材３０は、図２に示すように、シール本体部３１から内向きに突出する内向き突部４３を備えている。内向き突部４３は、外向き突部３８と同様、一対の第１縁部３２の両方に設けられている。内向き突部４３は、第１縁部３２の長手方向の中央部に設けられ、第１縁部３２の略半分の長さ範囲にわたって第１縁部３２に沿って連続した形態をなしている。すなわち、内向き突部４３は、外向き突部３８と同じ範囲にわたり第１縁部３２を間にして反対側に形成されている。内向き突部４３の突出寸法は、図５に示すように、外向き突部３８の突出寸法よりも小さくされ、内向き突部４３の厚さ寸法（前後方向の寸法）は、外向き突部３８の突出部３９よりも大きく、引掛け部４１を含む寸法と同等とされている。
【００２７】
シール本体部３１の後面には、図５に示すように、外向き突部３８と内向き突部４３との間に溝部４４が形成されている。溝部４４は、シール本体部３１の幅方向における中央部に、前方に凹んだ形態で設けられている。溝部４４は、開放側（後側）から前方に向かって次第に幅寸法が小さくなっている。溝部４４は、密着突部３４の真後ろに位置し、第１縁部３２の長手方向に延びている。
【００２８】
シール部材３０が装着される装着部１６は、図５に示すように、ハウジング１０のフランジ部１４に設けられている。装着部１６は、シール本体部３１が収容される本体収容溝１８と、外向き突部３８が収容される外向き孔部１９と、内向き突部４３が収容される内向き孔部２６と、を有している。
【００２９】
本体収容溝１８は、フランジ部１４の全周にわたって形成され、前面側が開放されている。シール部材３０の第１、第２係止突起３５Ｆ，３５Ｓが挿入される貫通孔１７は、本体収容溝１８からハウジング１０の外面に貫通して設けられている。
【００３０】
外向き孔部１９は、本体収容溝１８から外方（パネルＰへの取付方向に対して交差方向）に凹み形成されている。外向き孔部１９は、本体収容溝１８とハウジング１０の外面（フード部１２の外周面）とに貫通している。外向き孔部１９には、外向き突部３８の全体が収容される。
【００３１】
外向き孔部１９の後面は、図５に示すように、外向き突部３８の後面の全体に当接し、外向き突部３８の後方への変位を防ぐ外側規制面２１となっている。外側規制面２１は、前後方向に対して略直交する面とされ、本体収容溝１８の底面（後面）と段差なく連なっている。
【００３２】
外向き孔部１９の内部には、図５に示すように、外向き突部３８と係止可能な係止段部２２が突設されている。係止段部２２は、外向き孔部１９の前側（外向き突部３８の挿入方向に向かって片側）に設けられている。係止段部２２は、外向き孔部１９のうち内側（外向き突部３８の挿入方向手前側）の端部に位置し、本体収容溝１８の側面に沿って後方に突出している。
【００３３】
係止段部２２のうち本体収容溝１８に臨む面には、外向き突部３８を外向き孔部１９に誘い込む誘い込み面２３が形成されている。誘い込み面２３は、係止段部２２の突出方向に向かって外側に傾く傾斜面とされている。
【００３４】
係止段部２２には、図５に示すように、外向き突部３８の引掛け部４１が係止する係止受け面２４が形成されている。係止受け面２４は、係止段部２２の突出方向に向かって内側に傾く傾斜面とされている。係止受け面２４と引掛け面４２とは同等の勾配とされ、内外方向に面当たりする。
【００３５】
外向き孔部１９の前側には、図５に示すように、外向き突部３８の引掛け部４１を覆う外側覆い部２５が設けられている。外側覆い部２５は、係止段部２２の外側に隣接して設けられている。外側覆い部２５は、引掛け部４１よりも外側まで突き出しており、引掛け部４１の全体を覆っている。外向き孔部１９のうち引掛け部４１よりも外側には、外向き突部３８が存在しない空き空間Ｓが形成される。空き空間Ｓは、引掛け部４１の幅寸法（内外方向の寸法）と同等の幅寸法を有している。
【００３６】
内向き孔部２６は、本体収容溝１８から内方（パネルＰへの取付方向に対して交差方向）に凹み形成されている。内向き孔部２６は、図５に示すように、フード部１２の内周面と本体収容溝１８との間を内外方向に貫通している。内向き孔部２６の幅寸法および前後方向の寸法は、外向き孔部１９の同方向の寸法と同等とされている。内向き孔部２６には、内向き突部４３の全体が収容される。
【００３７】
内向き孔部２６の前後両面は略平行であり、後面は、内向き突部４３の後面に全体にわたって当接し、内向き突部４３の後方への変位を規制する内側規制面２７とされている。内側規制面２７は、前後方向に対して略直交する面とされ、本体収容溝１８の底面（後面）と段差なく連なっている。
【００３８】
内向き孔部２６の前側には、図５に示すように、内向き突部４３を覆う内側覆い部２８が設けられている。内側覆い部２８は、内向き突部４３の全体を覆っている。
【００３９】
次に、本実施例のコネクタＣにおいてシール部材３０をハウジング１０に取り付ける作業の一例を説明する。
まず、第１、第２係止突起３５Ｆ，３５Ｓの係止爪３６を潰すようにして貫通孔１７に挿入し、シール本体部３１を本体収容溝１８に入れ込むようにする。係止爪３６は貫通孔１７を貫通し、ハウジング１０の外面に係止する。
また、外向き突部３８と内向き突部４３とを溝部４４側に弾性変位させつつ本体収容溝１８に入れ込み、シール本体部３１を本体収容溝１８に押し込む。すると、外向き突部３８の引掛け部４１が係止段部２２の誘い込み面２３に当接してその傾斜により外向き孔部１９に誘い込まれ、引掛け部４１が係止段部２２を乗り越えて係止受け面２４に係止した状態になる。内向き突部４３は、内向き孔部２６の位置（本体収容溝１８の奥面）に至って外側に弾性復帰し、内向き孔部２６に入り込む。こうして、外向き突部３８および内向き突部４３が外向き孔部１９および内向き孔部２６にそれぞれ収容される。
以上により、シール部材３０をハウジング１０に取り付ける作業が完了する。
【００４０】
ハウジング１０に取り付けられたシール部材３０は、第１、第２係止突起３５Ｆ，３５Ｓがハウジング１０の貫通孔１７に貫通係止していることにより、第２縁部３３のめくれが防止される。
【００４１】
また、外向き突部３８および内向き突部４３が外向き孔部１９および内向き孔部２６にそれぞれ収容されていることにより、第１縁部３２のめくれが防止される。詳しくは、外向き孔部１９の係止段部２２と外向き突部３８の引掛け部４１とが係止していることにより、外向き突部３８の内方（本体収容溝１８側）への抜け止めがなされる。さらに外向き突部３８は、外側規制面２１によって後方（引掛け部４１と係止段部２２との係止が解除される方向）への弾性変形が規制されているから、第１縁部３２にめくれ方向の力が作用したとしても、引掛け部４１と係止段部２２との係止状態が維持される。また、内向き突部４３が内向き孔部２６に入り込んでいるから、第１縁部３２の内周側においてもめくれが防がれる。
【００４２】
次に、上記のように構成された実施例の作用および効果について説明する。
本実施例のコネクタＣは、パネルＰの取付孔Ｈに取り付けられるものであり、パネルＰの板面２０に密着可能なシール部材３０を有し、ハウジング１０には、シール部材３０が装着される装着部１６が設けられている。シール部材３０は、外向きに突出する外向き突部３８を有し、装着部１６には、外向き突部３８が収容される外向き孔部１９が、外方に凹み形成されており、外向き孔部１９の内部における前側には、外向き突部３８と係止可能な係止段部２２が突設されている。この構成によれば、外向き突部３８を外向き孔部１９に収容する際には、外向き孔部１９の内部において片側に突設された係止段部２２を乗り越えさせればよいから、従来に比してシール部材３０を容易に装着することができる。また、外向き突部３８は、外向き孔部１９の内部に収容されているから、係止段部２２との係止が解除される方向への変形が制限されるので、係止段部２２が片側のみであっても係止段部２２との係止状態が維持される。よって、めくれ防止機能を低下させることなく、組み立て作業を容易に行うことができる。
【００４３】
また、シール部材３０が、内向きに突出する内向き突部４３を有し、装着部１６には、内向き突部４３が収容される内向き孔部２６が内方に凹み形成されている。この構成によれば、内向き突部４３が内向き孔部２６に収容されることにより、シール部材３０の内周側の浮き上がりが防止されるので、シール部材３０のめくれ防止機能をより高めることができる。
【００４４】
また、係止段部２２が、外向き孔部１９のうち外向き突部３８の挿入方向手前側の端部に位置している。この構成によれば、係止段部が外向き孔部のうち外向き突部３８の挿入方向奥側に位置している場合に比して、外向き孔部１９への外向き突部３８の押し込み距離を短くすることができるから、シール部材３０を容易に装着することができる。
【００４５】
また、外向き突部３８と内向き突部４３との間に溝部４４が形成されている。この構成によれば、シール部材３０を装着部１６に装着する際、外向き突部３８または内向き突部４３を溝部４４側に撓ませることができるから、シール部材３０をより容易に装着することができる。
【００４６】
＜他の実施例＞
本発明は上記記述及び図面によって説明した実施例に限定されるものではなく、例えば次のような実施例も本発明の技術的範囲に含まれる。
（１）上記実施例では、シール部材３０が第１、第２係止突起３５Ｆ，３５Ｓを有しているが、これに限らず、係止突起は必ずしも備えなくても良く、また例えば係止突起のかわりに外向き突部または内向き突部を設けてもよい。
（２）上記実施例では、シール部材３０は縦長とされているが、これに限らず、シール部材の形状は任意の形状であってよい。
（３）上記実施例では、外向き孔部１９に空き空間Ｓが形成されているが、これに限らず、例えば外向き孔部の全体に引掛け部が収まるようにしてもよい。
（４）上記実施例では、外向き孔部１９がハウジング１０の外面に貫通しているが、これに限らず、外向き孔部の外側端が閉じていてもよい。
（５）上記実施例では、内向き孔部２６がハウジング１０の内面に貫通しているが、これに限らず、内向き孔部の内側端が閉じていても良い。
（６）上記実施例では、係止段部２２が、外向き孔部１９のうち内側の端部に位置しているが、これに限らず、例えば係止段部を外向き孔部の中間部に設けても良い。
【符号の説明】
【００４７】
Ｃ…コネクタ
Ｈ…取付孔
Ｐ…パネル
１０…ハウジング
１６…装着部
１９…外向き孔部
２０…パネルの板面
２２…係止段部
２６…内向き孔部
３０…シール部材
３８…外向き突部
４３…内向き突部
４４…溝部
【図１】
2018060730.tif 000003
【図２】
2018060730.tif 000004
【図３】
2018060730.tif 000005
【図４】
2018060730.tif 000006
【図５】
2018060730.tif 000007